Podtech/llm-jp-corpus-v4-ja_patent huggingface dataset:
(57)【要約】【課題】  消火器に取り付ける警報装置を提供する。【解決手段】  円形状の自在バンド（１）に警報箱（２）を設け、警報箱（２）用にふた（３）を設け、警報箱の（２）の上部へマジックテープ（登録商標）メス（８）を設け、警報箱（２）の中にブザー（４）を設け、電源となる電池（５）を設け、マグネットセンサ（スイッチ部）（６）を設け、点検用マグネットセンサ（スイッチ部）（７）を設ける。なお、取り付け板（９）の端にマグネットセンサ（マグネット部）（１０）を設け、もう一端へ自在穴（１１）を設ける。点検用マグネットセンサ（マグネット部）（１２）にマジックテープ（登録商標）オス（１３）を設けたことを特徴とする消火器用警報装置。【選択図】図１
2011229877.tif 000002
【特許請求の範囲】
【請求項１】
円形状の自在バンド（１）に警報箱（２）を設け、警報箱（２）用にふた（３）を設け、警報箱の（２）の上部へマジックテープ（登録商標）メス（８）を設け、警報箱（２）の中にブザー（４）を設け、電源となる電池（５）を設け、マグネットセンサ（スイッチ部）（６）を設け、点検用マグネットセンサ（スイッチ部）（７）を設ける。なお、取り付け板（９）の端にマグネットセンサ（マグネット部）（１０）を設け、もう一端へ自在穴（１１）を設ける。点検用マグネットセンサ（マグネット部）（１２）にマジックテープ（登録商標）オス（１３）を設けたことを特徴とする消火器用警報装置。
【発明の詳細な説明】
【技術分野】
【０００１】  本発明は、消火器に取り付ける警報装置に関するものである。
【背景技術】
【０００２】  従来、高層建築物のマンション等には、消防法により、消火器の設置が義務付けられている。
消火器は、建物の大きさにより設置個数が定められている。
また、設置する場所は、通行および避難に支障がなく、火災発生時にはだれでも容易に持ち出すことができる箇所に設置することとなっている。
たとえば、マンション等においては、各階の廊下や階段の踊り場など共用部分に消火器が設置されている。
このため消火器が、盗難に遭ったり、いたずらにより持ち出されることが発生していた。
また、マンションの高層階より投下され、通行人に危害を加え死亡事故が発生している。
（特許文献１参照）、（特許文献２参照）
【先行技術文献】
【０００３】
【特許文献１】  特許公開平９−２３１４７８
【特許文献２】  特許公開平９−３１１９８８
【発明の概要】
【発明が解決しようとする課題】
【０００４】  次のような問題点があった。
消火器が、設置場所より盗難に遭ったり、いたずらにより持ち出されることが発生している。
また、マンションの高層階より投下され、通行人に当たり死亡事故が発生している。
本発明は、以上の問題点を解決するためになされたものである。
【課題を解決するための手段】
【０００５】  円形状の自在バンド（１）に警報箱（２）を設ける。
警報箱（２）用にふた（３）を設ける。
警報箱の（２）の上部へマジックテープ（登録商標）メス（８）を設ける。
警報箱（２）の中にブザー（４）を設ける。
電源となる電池（５）を設け、マグネットセンサ（スイッチ部）（６）を設け、点検用マグネットセンサ（スイッチ部）（７）を設ける。
なお、取り付け板（９）の端にマグネットセンサ（マグネット部）（１０）を設け、もう一端へ自在穴（１１）を設ける。
点検用マグネットセンサ（マグネット部）（１２）にマジックテープ（登録商標）オス（１３）を設ける。
以上の構成よりなる消火器用警報装置である。
【発明の効果】
【０００６】  火災発生時には、消火器が設置された場所から持出される。
すると、消火器に取り付けられている消火器用警報装置の警報音が鳴動すると共に火災箇所へと搬送される。
搬送中に周囲住民に火災発生及び火災箇所を知らせることができる。
盗難やいたずらをしようとする者には、消火器が設置された場所から持出されると、消火器に取り付けられている消火器用警報装置の警報音が鳴動するため、心理的な抑制効果が得られる。
また、周囲住民が着目することで、高層階からの投下事故を防ぐことができる。
消火器用警報装置は、自在バンドを設けているため、異なる大きさの消火器へ取り付けることができる。
【図面の簡単な説明】
【０００７】
【図１】  本発明の斜視図である。
【図２】  本発明の取り付け板の斜視図である。
【発明を実施するための形態】
【０００８】  以下、本発明の実施形態について説明する。
円形状の自在バンド（１）に警報箱（２）を設ける。
警報箱（２）用にふた（３）を設ける。
警報箱の（２）の上部へマジックテープ（登録商標）メス（８）を設ける。
警報箱（２）の中にブザー（４）を設け、電源となる電池（５）を設け、マグネットセンサ（スイッチ部）（６）を設け、点検用マグネットセンサ（スイッチ部）（７）を設ける。
なお、取り付け板（９）の端にマグネットセンサ（マグネット部）（１０）を設け、もう一端へ自在穴（１１）を設ける。
点検用マグネットセンサ（マグネット部）（１２）にマジックテープ（登録商標）オス（１３）を設ける。
以上の構成よりなる消火器用警報装置である。
本発明の使い方を説明する。
（イ）消火器本体へ自在バンドを通し締め付け固定する。
警報箱の底部に取り付け板のマグネットセンサ（マグネット部）を合わせ壁面等へ固定する。
（ロ）消火器の消防設備点検時は、警報音を停止するため、警報箱上部のマジックテープメス部へ点検用マグネットセンサ（マグネット部）を取り付ける。
【符号の説明】
【０００９】１  自在バンド
２  警報箱
３  ふた
４  ブザー
５  電池
６  マグネットセンサ（スイッチ部）
７  点検用マグネットセンサ（スイッチ部）
８  マジックテープ（登録商標）メス
９  取り付け板
１０  マグネットセンサ（マグネット部）
１１  自在穴
１２  点検用マグネットセンサ（マグネット部）
１３  マジックテープ（登録商標）オス
【図１】
2011229877.tif 000003
【図２】
2011229877.tif 000004
(57)【要約】【課題】ステンレス柱を設け、やかんで水を加熱しお湯を沸かす時間を従来のやかんより短縮できることを提供する。【解決手段】従来のやかんの中央にステンレス柱を接合することで、水をお湯に沸かすのに中央のステンレス柱から沸騰点が発生し、尚且つやかんの水面からも沸騰点が発生するため、上部からと内側から加熱することを特徴とした省エネルギーやかん。【選択図】図１
2011229874.tif 000002
【特許請求の範囲】
【請求項１】
やかんの中央部にステンレス柱を直立状に設けたことを特徴とするやかん。
【発明の詳細な説明】
【技術分野】
【０００１】  本発明は、中央部にステンレス柱を設け、やかんの底に接合させたやかんに関するものである。
【背景技術】
【０００２】  従来、やかんの底面に凹凸の波型を設けた、やかんがあった。
【発明の開示】
【発明が解決しようとする課題】
【０００３】  そのために、次のような問題点があった。
（イ）従来のやかんには、沸騰点が水面のみで、水の沸く時間が掛かった。
（ロ）沸騰点がやかんの水面のみで、やかんの中央から沸騰点が発生する、やかんは無かった。
本発明は、これらの問題を解決するためになされたものである。
【課題を解決するための手段】
【０００４】  やかんの中央にステンレス柱を直立状に設け、ステンレス柱はやかんの底に接合されており、ＩＨクッキングヒーターにもガスレンジ用にも使用できる素材を使用する。以上を特徴とするやかんである。
【発明の効果】
【０００５】  ＩＨクッキングヒーターの場合は、ステンレスのみがＩＨの力で加熱しやかんの外部及びステンレス柱を加熱するので、やかんの側面からとやかんの内部のステンレス柱から加熱するので従来のやかんでお湯を沸かす時間が短縮されるし、ガスレンジの場合はガスの加熱で底からとやかんの側面から加熱されると同時にステンレス柱を加熱された熱が伝わり、やかんの中央からも加熱できる。
【発明を実施するための最良の形態】
【０００６】  以下、本発明の実施の形態について説明する。
（イ）ステンレス柱（１）の凸形を（２）やかんの底に接合する。
【図面の簡単な説明】
【０００７】
【図１】本発明の斜視図
【符号の説明】
【０００８】１    ステンレス柱
２    やかんの底
３    やかんの側面
４    把手
５    ふた
【図１】
2011229874.tif 000003
(57)【要約】【課題】  乳幼児のオムツ替えするときあばれたり寝返りをしてオムツ替えが困難であった。従来の寝返り防止具は、敷物に両手と胴体を巻くもので形状が大きく外出中の持ち運びが容易でなかった。また意識のはっきりしない病人や介護される老人が治療中に事情がわからず嫌がりあばれて治療が困難な時があったり、さらに安静が必要なとき事情が理解できず起き上がり歩行してしまうような状況があり危険であった。本発明は、それらを防ぐことを課題とする。【解決手段】１、平らな一本の棒の本体（１）の左右にそれぞれ係止具を設けたベルト（２）と（３）を取り付ける。２，ベルト（２）とベルト（３）の両端に系止具として面ファスナー（Ａ面）（Ｂ面）をそれぞれ設ける。３，本体（１）の長さとベルト（２）とベルト（３）の長さを変えることにより大人用、子供用となる。【選択図】図１
2011229878.tif 000002
【特許請求の範囲】
【請求項１】
一本の平棒の本体（１）の左右に係止具として面ファスナー（Ａ）と（Ｂ）を設けたベルト（２）とベルト（３）を取り付けたことを特徴とする寝返り防止具。
【発明の詳細な説明】
【技術分野】
【０００１】  この発明は乳幼児のオムツ交換時の寝返りや介護される病人などの寝返りや起き上がりを防止する用具に関するものである。
【背景技術】
【０００２】  従来、乳幼児の寝返り防止具としては、敷物に両手と胴体を巻いて動かないようにしたものはあった。（実新文献１、特許文献３）
【先行技術文献】
【実用新案文献１参照】
（新文献開昭５７−３５８）
【特許文献３参照】
（特開平１１−２７６３１２、特開２００３−７０６０２、特開２００６−１５８９１１）
【発明の概要】
【発明が解決しようとする課題】
【０００３】  乳幼児のオムツ替えするときあばれたり寝返りをしてオムツ替えが困難であった。従来の寝返り防止具は、敷物に両手と胴体を巻くもので形状が大きく外出中の持ち運びが容易でなかった。また意識のはっきりしない病人や介護される老人が治療中に事情がわからず嫌がりあばれて治療が困難な時があったり、さらに安静が必要なとき事情が理解できず起き上がり歩行してしまうような状況があり危険であった。本発明は、それらを防ぐことを課題とする。
【問題を解決するための手段】
【０００４】１、平らな一本の棒の本体（１）の左右にそれぞれ係止具を設けたベルト（２）と（３）を取り付ける。
２，ベルト（２）とベルト（３）の両端に系止具として面ファスナー（Ａ面）（Ｂ面）をそれぞれ設ける。
３，本体（１）の長さとベルト（２）とベルト（３）の長さを変えることにより大人用、子供用となる。
【発明の効果】
【０００５】１，大きさが本体（１）の１本の長さが大人用でも約５０センチであり、使用するにも外出時持ち歩くのにも便利である。
２，使用時は、本考案の寝返り防止具を体の下におき、両腕をベルト（２）と（３）で止めるだけでよく、時と場所を問わず直ちに使用できる。
３，意識のはっきりしない介護される病人や老人が治療中に事情がわからず嫌がりあばれて治療が困難な時があったり、さらに安静が必要なとき事情が理解できず，寝返ったり、起き上がって歩行してしまうような状況があり危険であったがそれらを防止することができる。
４，大きな器具ではないので使用される側も不安感はない。
５，一本の棒で両腕を拘束することにより自由を奪われ人体に力が入らず寝返りをすることも起き上がることもできない。
【発明を実施するための形態】
【０００６】以下、本発明の実施形態を図面を参照して説明する。
１，本体（１）を使用される人が両手を左右に広げて寝た状態の両腕の下に添うように置き、ベルト（２）とベルト（３）の係止具の面ファスナー（Ａ）と（Ａ′）を（Ｂ）と（Ｂ′）をそれぞれ接合させ、両腕を平棒に固定する。
２，両腕を拘束することにより自由を奪われ人体に力が入らず寝返りをすることも起き上がることもできない。
【図面の簡単な説明】
【０００７】
【図１】  広げた状態の平面図
【図２】  使用した状態の平面図
【図３】  使用した状態の背面図
【符号の説明】１，平棒本体
２，ベルト
３，ベルト
４，面ファスナー（Ａ）
４′，面ファスナー（Ｂ）
５，面ファスナー（Ａ）
５′，面ファスナー（Ｂ）
【図１】
2011229878.tif 000003
【図２】
2011229878.tif 000004
【図３】
2011229878.tif 000005
(57)【要約】【課題】携帯するには重いと携帯には不向きであるので軽い素材で、畳んだ時の厚みも薄くする。足は自由こそ楽であるので、滑り止めは不要である。携帯用に小さくたためる事が重要である。足置きは山型では足に不安定感がある。使用時に組み立て不要である。色を含むデザイン面でもおしゃれ感覚で使用できる製品は無かった。  本発明は内外どこでも使用できるよう軽量でコンパクトで持ち運び便利な携帯足置き台を提供する。【解決手段】脚部になる本体に折り畳む為の筋を入れる。脚部の天と地に孔をあけ、足置き板となる天板に糸通し孔をあけ、天板孔と脚部天孔に紐を通し固定する。脚部地を紐で固定し固定した天板足載せ板の上に足載せカバーをのせ足載せ板と脚部底辺の両側に縁取りをはめ込んだことを特徴とする携帯足置き台。【選択図】図４
2011229880.tif 000002
【特許請求の範囲】
【請求項１】
基本的に軽量で水拭きにも耐える素材から成る足置き板と、脚部板とから構成される足置き板において、脚部板に折り畳み筋を入れ折り畳んだ脚部板の左右両端に天と地の一対になるように，各１個の天孔と各２個の地孔を設け糸通し孔とし、足置き板の両端中央部にも各２個の足置き板孔を設け糸通し孔とし、足置き板孔と脚部板天孔を一対に固定紐を通し固定し、脚部地孔を一対に連結紐で適度の長さに連結し固定した足置き板の上に足置き板カバーをのせ、対向する二辺部を足置き板縁取りをはめ込んで固定し、脚部の両底辺にも脚部底辺縁取りをはめ込んだことを特徴とする携帯足置き台。
【発明の詳細な説明】
【技術分野】
【０００１】  本発明は、飛行機、乗り物等、他、カルチャーセンター、劇場等で数時間椅子に座る場合の携帯に便利な足置き台に関するものである。
【背景技術】
【０００２】  従来の製品はプラスチック製品に接着剤等で接合されているもの（特許文献１参照）、山型に形成されコンパクトになり、滑り止めがついているもの（特許文献２参照）、他に、固定する際の紐をはめ込むタイプや重さが３００ｇ以上あるものなどがある。
【先行技術文献】
【０００３】
【特許文献１】  特開２０００−１０２４４８
【特許文献２】  登録実用新案第３１３０４６３号
【発明の概要】
【発明が解決しようとする課題】
【０００４】  携帯するにはプラスチック素材は重い。畳んだ状態で厚みがある。滑り止めは不要である。足を置くところが山型では足に不安定感がある。使用時に組み立てなければならない。色を含むデザイン面でおしゃれ感覚で使  用できる製品がない。。
本発明は以上の問題点を解決するものである。
【課題を解決するための手段】
【０００５】  基本的に軽量で水拭きにも耐える素材から成る足置き板と脚部板とから構成される足置き板において、脚部板に折り畳み筋を入れ、折り畳んだ脚部板の左右両端に天と地の一対になるように各１個の天孔と各２個の地孔を設け、糸通し孔とする。足置き板の両端中央部にも各２個の足置き板孔を設け、糸通し孔とする。足置き板孔と脚部板天孔を一対に固定紐を通し固定する。脚部地孔を一対に連結紐で適度の長さに連結する。固定した足置き板の上に足置き板カバーをのせ、対向する二辺部を足置き板縁取りをはめ込んで固定する。脚部の両底辺にも脚部底辺縁取りをはめ込む。
以上の構成よりなる携帯足置き台である。
【発明の効果】
【０００６】（イ）携帯に適した軽量素材を使い、持つのに負担無く軽くなった（ロ）使用時に組み立てることなく、広げるだけなので、極めて簡便に利用できる。（ハ）足置き板は置いた足の角度に自在に適応して可動できるようにしたので安楽感が増した。（ニ）靴履き使用時の汚れも水拭きに耐える素材なので、常に清潔に保てる。（ホ）デザイン面でも固定紐をカラフルにし、おしゃれ度を加え、老若男女が使用できる足置き台になった。
【図面の簡単な説明】
【０００７】
【図１】本発明の一部である脚部板の斜視図
【図２】本発明の一部である脚部板を立てた状態を示す斜視図
【図３】本発明の一部である足置き板と足置き板カバーの相関を示す斜視図
【図４】本発明の使用状態を示す斜視図
【発明を実施するための形態】
【０００８】  以下、本発明の実施の形態を説明する。
（イ）脚部板（１）に折り畳み筋（２）を入れる。
（ロ）折り畳んだ脚部板（１）の左右両端に天と地の一対になるように各１個の天孔（３）と各２個の地孔（４）を設け、糸通し孔とする。
（ハ）足置き板（５）の両端中央部にも各２個の足置き板孔（６）を設け、糸通し孔とする。
（ニ）足置き板孔（６）と脚部板天孔（３）を一対に固定紐（７）を通し固定する。
（ホ）脚部地孔（４）を一対に連結紐（９）で適度の長さに連結する。
（ヘ）固定した足置き板（５）の上に足置き板カバー（８）をのせる。
（ト）対向する二辺部を足置き板縁取り（１０）をはめ込んで固定する。
（チ）脚部の両底辺にも脚部底辺縁取り（１１）をはめ込む。
本発明は以上のような構造である。
これを使用する時は、畳んだ状態から広げ、足下に置き使用する。プラスチックダンボールのような素材であれば汚れは拭き取り易く、軽量で携帯にも便利である。足置き板が置いた足の角度に合わせて動くので足が長時間でも疲れない。紐の色もカラフルでデザイン面でも老若男女が楽しく使用できる。
【符号の説明】
【０００９】（１）脚部板、（２）折り畳み筋、（３）脚部天孔、（４）脚部地孔、（５）足置き板、（６）足置き板孔、（７）固定紐、（８）足置き板カバー、（９）連結紐（１０）足置き板縁取り（１１）脚部底辺縁取り
【図１】
2011229880.tif 000003
【図２】
2011229880.tif 000004
【図３】
2011229880.tif 000005
【図４】
2011229880.tif 000006
(57)【要約】      （修正有）【課題】インパクト時のフェースの状態、クラブヘッドの軌道あるいは打点がスウィート・スポット近傍かを容易に見極めることを可能とし、打点がスウィート・スポット近傍でストレートショットの練習効果を向上させるゴルフ練習機を提供する。【解決手段】鉛直回転型ゴルフ練習機の回転体３を複数にし、その回転体３が水平な回転軸に垂直な回転も垂直でない回転も可能とし、さらに回転体３の間隔を調節可能な物で構成した。これにより、インパクト直後の回転体の挙動を明確にすることができ、これらを検証しインパクト時のグリップやスウィングを矯正することによって打点がスウィート・スポット近傍でストレートショットの練習効果を向上させることができる。【選択図】図１
2011229879.tif 000002
【特許請求の範囲】
【請求項１】
鉛直方向に回転する回転体を複数とし、また回転体が水平な回転軸に垂直な回転も垂直でない回転も可能な物とし、さらに回転体の間隔を調節可能な物で構成したゴルフ練習機。
【発明の詳細な説明】
【技術分野】
【０００１】  本発明は、ゴルフ練習機に関するものである。
【背景技術】
【０００２】  従来の水平及び鉛直回転型ゴルフ練習機において、回転体（インパクト後回転する部分）が１個の物はあったが複数の物は無かった。【０００３】  従来の水平回転型ゴルフ練習機では、回転体が水平回転するためインパクト時のクラブヘッド高さの確認は可能であるがインパクト時のフェース角度の状態、クラブヘッドの軌道あるいは打点がスウィート・スポット近傍かどうかは判断できなかった。【０００４】  また、従来の鉛直回転型ゴルフ練習機においても、インパクト時のクラブヘッドの軌道はある程度判断できても、インパクト時のフェース角度の状態や打点がスウィート・スポット近傍かについてはインパクト直後の回転体の挙動からは判断し難かった。【０００５】  これは従来の鉛直回転型ゴルフ練習機の打撃部が１個で球状形のため打点がスウィート・スポット近傍でなくてもスクェアフェースであれば回転体は水平な回転軸に垂直な回転（以降鉛直面回転）の挙動を示し、また打撃部の中心を通るターゲットラインから若干外れた打点であっても鉛直面回転の挙動を示すことにある。【０００６】  そのため実際には飛球がスライスするショット、飛球がフックするショットあるいは打点がスウィート・スポット近傍でないショットをしていても従来の鉛直回転型ゴルフ練習機では鉛直面回転の挙動を示す場合があった。そのため打点がスウィート・スポット近傍でフェース角度がスクェアなショット（以降ストレートショット）をするための練習効果としては薄いものであった。
【発明の開示】
【発明が解決しようとする課題】
【０００７】  本発明は従来の水平及び鉛直回転型ゴルフ練習機の欠点を排除するため、従来見極めることが困難であったインパクト時のフェースの状態、クラブヘッドの軌道あるいは打点がスウィート・スポット近傍かを容易に見極めることを可能とし、打点がスウィート・スポット近傍でストレートショットの練習効果を向上させることである。
【課題を解決するための手段】
【０００８】  本発明は上記課題を解決するために従来のゴルフ練習機の回転体を複数とし、またその回転体が水平な回転軸に垂直な回転も垂直でない回転（以降非鉛直面回転）も可能とし、さらに回転体の間隔を調節可能としたゴルフ練習機である。【０００９】  上記の課題解決手段による作用は次の通りである。
ストレートショットをした場合は、インパクト時に複数ある回転体の先端部である打撃部とフェースが全て同時に当たり回転体は揃って鉛直面回転し始めるが、フェースがスクウェアで無い場合、その打撃部が複数であることにより、先に打撃部とフェースが当たった順に回転体がそれぞれ回転し始め、ばらついた回転を示すことによって、インパクト時のフェース状態がスクウェアで無いことを容易に見極めることを可能とした。【００１０】  また、クラブヘッドの軌道については、例えばアウトサイドインあるいはインサイドアウト等のスウィングをした場合、回転体が揃って回転し始めても非鉛直面回転となる場合や回転体が同時に回転せずばらついた回転をし始めるためクラブヘッドの軌道も見極めることを可能とした。【００１１】  さらに、回転体の間隔を調節可能なものとすることにより、打点がスウィート・スポット近傍かも見極めることを可能とした。
【発明の効果】
【００１２】  上述したように本発明はインパクト直後の回転体の挙動を明確にすることができ、これらを検証しインパクト時のグリップやスウィングを矯正することによって打点がスウィート・スポット近傍でストレートショットの練習効果を向上させることができる。
【発明を実施するための最良の形態】
【００１３】  以下、本発明の実施形態の１例を各図に基づいて説明する。【００１４】  図１において、支持台８に回転軸６が水平に取り付けられた回転軸支持部７が固定されており、その回転軸６に回転軸受部５が設けられ、その回転軸受部５に回転軸６に垂直でない回転も可能なようにヒンジ部４が設けられ、そのヒンジ部４に回転体３が留められ、その回転体３の先端部に打撃部１を設け、さらに回転体３の間隔を調節できる回転体間隔調節部２を設けたものである。【００１５】  以下、上記の動作を説明する。
図４のようなフェース角度あるいはクラブヘッド軌道のインパクト時、各打撃部１と同時にクラブ・フェースが当たることにより回転体３は揃って回転し始める。【００１６】  図５のようなフェース角度あるいはクラブヘッド軌道のインパクト時、図面下側の打撃部１と上側のそれより先にクラブ・フェースが当たり他のそれよりも先に回転し始めるため、回転体３はばらついた回転をし始める。たとえ揃って回転し始めても非鉛直面回転となる。【００１７】  逆に図６のようなフェース角度あるいはクラブヘッド軌道のインパクト時に打撃部１に当たる順序は図５の場合とは逆になるが回転体３は揃って回転し始めても非鉛直面回転となる。【００１８】
【図面の簡単な説明】
【００１９】
【図１】  本発明の斜視図である。
【図２】  本発明の正面図である。
【図３】  本発明の側面図である。
【図４】  本発明のインパクト時の平面図である。
【図５】  本発明のインパクト時の平面図である。
【図６】  本発明のインパクト時の平面図である。
【符号の説明】
【００２０】  １  打撃部
２  回転体間隔調節部
３  回転体
４  ヒンジ部
５  回転軸受部
６  回転軸
７  回転軸支持部
８  支持台
９  ゴルフクラブヘッド
【図１】
2011229879.tif 000003
【図２】
2011229879.tif 000004
【図３】
2011229879.tif 000005
【図４】
2011229879.tif 000006
【図５】
2011229879.tif 000007
【図６】
2011229879.tif 000008
(57)【要約】      （修正有）【課題】空柱を設け、電子調理器具の食品を温める時間を従来の電子調理器具より短縮できることを提供する。【解決手段】従来の電子調理器具の中央に空柱１（空洞の柱）を接合し、空柱１の先端に穴２を設けたことで、食品の中央の空間を作り電磁波が空柱を通過し食品の内側からも温めるため、上部からと内側から温めることができるようになり、食品を温める時間を、従来の電子調理器具より短縮できるようにした特徴とした空柱付き電子調理器具。【選択図】図１
2011229875.tif 000002
【特許請求の範囲】
【請求項１】
電子調理器具の内底に凸形で内部が空洞の柱を設け、柱の先端に穴を設けたことを特徴とする電子調理器具。
【発明の詳細な説明】
【技術分野】
【０００１】  本発明は、電子調理器具の底に空柱を設け、空柱に先端に穴を設けた電子調理具に関するものである。
【背景技術】
【０００２】  従来、電子調理器具に蒸気噴出穴を設置した電子調理器具があった。
【発明の開示】
【発明が解決しようとする課題】
【０００３】  そのために、次のような問題点があった。
（イ）従来の電子調理器具にご飯を入れその上にカレーをかけ、固体と液体を同時に加熱するのに、底のほうまで加熱することができなかった。
（ロ）ご飯とカレーを加熱する時間をかけるとカレーが油分を含んでいるためにカレーが先に焦げ付いていた。
本発明は、これらの問題を解決するためになされたものである。
【課題を解決するための手段】
【０００４】  電子調理器具の底から凸型の空柱を設け、空柱は空洞になっており、空柱の先端に穴を設けた、電磁波が空柱を通過し食品の内側からも加熱させるし、食品の上部からも加熱し油分を含んだ食品は加熱しすぎないように空柱の先端に蒸気の逃げる穴を設けた。以上を特徴とする電子調理器具である。
【発明の効果】
【０００５】  電磁波が通過するガラスや陶器は直接的には加熱されないため、空柱を電磁波が通過し食品の内側からも加熱されるため、加熱させる時間が早く、油分を含んだ食品は加熱しすぎないように空柱の先端に蒸気の逃げる穴を設けた。以上を特徴とする電子調理具である。
【発明を実施するための最良の形態】
【０００６】  以下、本発明の実施の形態について説明する。
（イ）空柱（１）凸形の先端に穴（２）設け、空柱（１）を電子調理器具（３）に接合する。空柱（１）は空洞になっており、図２のように洗いやすくするためにスポンジと指の入る大きさに空柱（１）を設ける。
【図面の簡単な説明】
【０００７】
【図１】本発明の斜視図
【図２】本発明の底部分の斜視図
【符号の説明】
【０００８】１    空柱
２    穴
３    電子調理器具
【図１】
2011229875.tif 000003
【図２】
2011229875.tif 000004
(57)【要約】【課題】一回の浣腸費用が最も安価で行える浣腸容器を提供する。【解決手段】挿入筒（２）部分を主体（１）より脱着自在とし、容器使用後挿入筒（２）のみを交換し、液剤を注入補給し、是をくり返して容器の主体（１）を連用する。【選択図】図１
2011229888.tif 000002
【特許請求の範囲】
【請求項１】
容器の主体（１）と、挿入筒（２）部を脱着自在に分離し、挿入筒（２）を交換出来る様にしてなる浣腸容器
【請求項２】
挿入筒（２）の頂天孔部を、案易に突破れる薄膜片（３）にて塞ぎ、挿入筒（２）自体を主体（１）のキャップ代りとし、該体（２）の下端にツバ（４）を設けてなる請求項１記載の浣腸容器。
【請求項３】
挿入筒（２）を遅水溶性としてなる請求項１、２記載の浣腸容器。
【発明の詳細な説明】
【技術分野】
【０００１】本発明は浣腸容器に関するものである。
【背景技術】
【０００２】従来の浣腸容器は一回の使い捨てであり容器全体及び残液を無駄に捨てていた。
【発明の開示】
【発明の解決しようとする課題】
【０００３】浣腸容器の挿入筒体のみ捨て、容器主体は連用し、亦内液を一滴も無駄なく使用する。
【課題を解決する為の手段】
【０００４】容器の主体（１）と挿入筒（２）を別体とし、使用時は差し込み亦はネジ合わせ合体して使用し、使用後は挿入筒（２）のみを捨て新挿入筒（２）で主体（１）を冠蓋し、使用時は別設の剤液容器の注出口より主体（１）内へ剤液を補給して順次連用する。
【発明の効果】
【０００５】主体（１）と挿入筒（２）を分離したから、用後の不潔な挿入筒（２）を便槽に捨てるだけですみ、主体（１）は清潔で連用出来、キャップも不用となり液剤を順次補給するから、在来捨てていた残液は一滴も無駄なく使用出来、資材節約で使用費が最も安価ですむ、亦遅水溶性の挿入筒（２）は便器内へ流すだけで処置出来、亦ツバ（４）を設けた事により挿入当り止めや、主体（１）の汚染防止や、主体（１）からの抜き取り手掛りとなり便利である。
【実施例】
【０００６】容器の主体（１）の頂部に差し込み、亦はネジ嵌めて挿入筒（２）を装着し、封入された液剤を体内に挿入注入する、使用後は不潔な挿入筒（２）を捨てる、次で別設大型容器の浣腸液を頂部筒体（１Ａ）より主体（１）内へ補給する、次で頂部筒体（１Ａ）に挿入筒（２）体をキャップとしてを冠蓋し次回の使用に備えるもので（４）はツバである。
【図面の簡単な説明】
【０００７】
【図１】図１は本発明摺合せ嵌込型の正面図である。
【図２】図２は同分離場合のネジ合せ型の側面図である。
【符号の説明】
【０００８】１    主体１Ａ  頂部筒体２    挿入筒３    薄膜片４    ツバ
【図１】
2011229888.tif 000003
【図２】
2011229888.tif 000004
(57)【要約】      （修正有）【課題】ゴルフスイングおよびショットを行うさい左手外転運動補助し方向性を高めるグローブを提供する。【解決手段】右打ち用ゴルフグローブの人差し指、第二関節と第三関節の間に右手薬指第一関節との接点に圧点を設けダウンスイングからフィニッシュまでの一連のスイング中インパクト時にボールに正しく力を伝え意識向上が図れる。【選択図】図２
2011229889.tif 000002
【特許請求の範囲】
【請求項１】
右打ち用ゴルフグローブ装着しクラブを画手でグリップしたときの左手人差し指第二関節および第三関節の間と右手薬指第一関節との接点付近に圧点物（クッション等）を付帯したグローブ。図１    （原文は、右打ち用グローブ指し左打ち用は反対を指す。）
【発明の詳細な説明】
【発明背景】
ゴルフプレイ中もしくは、特に練習中に右手薬指第一関節の小指側にかるい痛みを感じることがあり、その緩和に左手と右手関節の間に小片（厚紙の切れ端）又は、一円玉硬貨等を挟んでいました。ところがクラブを交換するたびにそれらが落下してしまい固定するのに絆創膏・バンドエイドそして両面テープを用いるようになりました。  後にこのグローブで練習をつづけると、ダウンスイング中右手がその部分に向かって左手外転運動の補助的動作を感じました。それを意識しながら練習をすると打球方向が良くなりました。その後暫くゴルフから何年か遠ざかり、再び練習しますと調子をつかみ易く感覚がより明瞭になったので、仲間数名にまずその部分にコインを挟んで練習してもらったら同じような感覚が得られたと言うのです。  以上の事からグローブのこの位置に圧点（図１）のようなクッション材を固定したグローブ装着により自然とスイング中インパクト時にボールに正しく力を伝える意識向上が図れると考えました。
【図１】
2011229889.tif 000003
【図２】
2011229889.tif 000004
【手続補正書】
【提出日】平成22年7月12日(2010.7.12)
【手続補正１】
【補正対象書類名】明細書
【補正対象項目名】全文
【補正方法】変更
【補正の内容】
【発明の詳細な説明】
【発明背景】
ゴルフプレイ中もしくは、特に練習中に右手薬指第一関節の小指側にかるい痛みを感じることがあり、その緩和に左手と右手関節の間に小片（厚紙の切れ端）又は、一円玉硬貨等を挟んでいました。
ところがクラブを交換するたびにそれらが落下してしまい固定するのに絆創膏・バンドエイドそして両面テープを用いるようになりました。
後にこのグローブで練習をつづけると、ダウンスイング中右手がその部分に向かって左手外転運動の補助的動作を感じました。
それを意識しながら練習すると打球方向が良くなりました。
その後、暫くゴルフから何年か遠ざかり、再び練習しますと調子をつかみ易く感覚が明瞭になったので、仲間数名にまずその部分にコインを挟んで練習してもらったら同じような感覚が得られたと言うのです。
以上の事からグローブのこの位置に圧点（図１）のようなクッション材を固定したグローブ装着により自然とスイング中インパクト時にボールに正しく力を伝える意識向上が図れると考えました。
【図面の簡単な説明】
【図１】  第二関節、第三関節の間に圧点構造を作るのに現グローブ表面に約５ｍｍ〜１０ｍｍの軟質ゴム（ホームセンター等に販売している建具等に付ける戸当たりゴム、通称涙目）に厚手の両面テープを覆い、さらに同グローブ生地えおかぶせその廻り際を縫い付ける。両面テープを用いたのはかぶせた生地とゴムを落ち着かせる為。
【図２】  左手外転中の圧点の動き。
(57)【要約】【課題】  おむつ交換の際、どうしても片手で赤ん坊や乳幼児やおむつ交換が必要な人の両足を持つのが困難な為、片足が下に落ちたりして、おむつ交換がやりにくい。そのため、赤ん坊や乳幼児やおむつ交換が必要な人の両足を固定し、片手で持ち、もう片方の手でおしりを拭くようにし、容易におむつ交換が出来るようにする。【解決手段】  簡易式おむつ交換時補助具本体１に、赤ん坊や乳幼児やおむつ交換が必要な人の両足をいれ固定し、片手で両足を持ち、もう片方の手で簡単におしりを拭くことが出来るようにする。【構成】  簡易式おむつ交換時補助具本体１は、ゴム状の素材とし、足を入れやすくかつ抜けにくくする。【選択図】図１
2011229890.tif 000002
【特許請求の範囲】
【請求項１】
おむつ交換時に、本体１を赤ん坊や乳幼児やおむつ交換が必要な人の両足に取り付け、片足だけ落ちてこないようにし、両足を片手で持ち上げ、おしりを拭いてあげるようにする。
【発明の詳細な説明】
【技術分野】
【０００１】  本発明は、おむつ交換時に赤ん坊や乳幼児やおむつ交換が必要な人の両足を片手では持ちにくいので、赤ん坊や乳幼児やおむつ交換が必要な人の両足を簡易式おむつ交換時補助具本体１に入れ固定し、それを片手で持ち、もう片方の手でおしりを拭いてあげられるようにしたものである。
【発明が解決しようとする課題】
【０００２】  おむつ交換時に片手で赤ん坊や乳幼児やおむつ交換が必要な人の両足を持って、もう片方の手でおしりを拭くのは、片足が落ちたりして困難な時があるので、本発明は、この課題を解消するためになされたものである。
【課題を解決するための手段】
簡易式おむつ交換時補助具本体１に赤ん坊や乳幼児やおむつ交換が必要な人の両足を入れ固定し片手で持ち、もう片方の手でおしりを拭いてあげられるようにした。
【発明の効果】
このようにすれば、赤ん坊や乳幼児やおむつ交換が必要な人の両足を容易に片手で、持ち上げる事が出来、赤ん坊や乳幼児おむつ交換が必要な人のおしりを簡単に拭くことができる。
【図面の簡単な説明】
【図１】  簡易式おむつ交換時補助具の全体図
【発明を実施するための形態】
簡易式おむつ交換時補助具本体１は、赤ん坊や乳幼児やおむつ交換が必要な人の両足を入れやすくし、なおかつ抜けにくいようにする為、ゴム状に伸びる素材にする。
【符号の説明】  １  本体
【図１】
2011229890.tif 000003
(57)【要約】【課題】  従来ＴＶゲームやコンピューターゲーム等は、視覚や聴覚で楽しんでいた。【解決手段】  テレビゲームやコンピューターゲーム等において、ゲーム内容に応じて連動したスーツ内から刺激を与えられるようにする。【選択図】図１
2011229883.tif 000002
【特許請求の範囲】
【請求項１】
テレビゲームやコンピューターゲームをプレイする時、ゲーム内容に応じてゲームと連動したスーツ（手袋、帽子、くつ下等を含む）を通じて、ダメージ等を体感できる。
【発明の詳細な説明】
【技術分野】
【０００１】  本発明は、テレビゲームやコンピューターゲームをプレイする時、ゲーム内容に応じてゲームに連動したスーツから、ダメージ等を体感できることに関する
【発明の開示】
【発明が解決しようとする課題】
【０００２】  テレビゲームやコンピューターゲームをプレイする時、ゲーム内容に応じて、スーツを通じてダメージ等を体感できる。
【課題を解決するための手段】
【０００３】  テレビゲームやコンピューターゲームなどのプレイ中、ゲーム内容に応じてダメージ等を体感できるように、刺激を与えられる装置をスーツ内に装着する。
【発明を実施するための最良の形態】
【０００４】  テレビゲームやコンピューターゲームの内容に応じ、ゲームと連動するスーツ内に刺激を与えられる装置を装着する。
【図面の簡単な説明】
【０００５】
【図１】  正面図
【図１】
2011229883.tif 000003
(57)【要約】【課題】計量、食事等に用いるスプーンの形状は、置いた時、口に入れる部分が机等に付き、不衛生な状態だった。調味料の調合時は何度も洗って、再度使用し、不便だった。【解決手段】スプーンの持ち手・とって部分に、支え板状の形状、または台状の形状を設け、置いた時、スプーンの口に付く部分が浮く状態にする。【選択図】図１
2011229886.tif 000002
【特許請求の範囲】
【請求項１】
スプーンの持ち手・とってに、支え板または台状の支え台になる部分と、一体化の形状を設け、置いた時、口に入る部分が、浮く状態になることを特徴とするスプーン。
【発明の詳細な説明】
【技術分野】
【０００１】  この発明は調味料の計量に用いるスプーンや、食事に利用するスプーンの形状に関する。
【背景技術】
【０００２】  従来のスプーンは、図３で示すように、置いた時、口に入る部分が机等に触れる形状になっている。
【発明の概要】
【発明が解決しようとする課題】
【０００３】  今までのスプーンの形状では、調味料を調合する際など、置く時、スプーンの下に、皿を置くか、または流し台に置く都度、何度もスプーンを水洗いしなくてはならなかった。受け皿を置く時も、場所を取り不便だった。
そこで、この発明は、スプーンを清潔に保ちかつ、何度も洗う手間がはぶけるようにする事を課題とする。
【課題を解決するための手段】
【０００４】  以上の課題を解決する為に、第一発明は、スプーンの持ち手・とってに、支え板または台状になる部分と、一体化の形状を設け、スプーンを置いた時、口に入る部分が、浮く状態になることを特徴とするスプーン。
【発明の効果】
【０００５】  第一発明によれば、スプーンの持ち手・とってに、支え板または台状になる部分と一体化の形状を設けたので、置いた時、口に付く部分が机等に触れず清潔を保てる。
また、持ち手部分の支えが、板状の形状だと重ねて収納出来、台状の形状は置いた時、安定性が高い。計量スプーンに最適だが、食事用としても清潔に使用出来る。
【図面の簡単な説明】
【図１】  この発明の、一実施形態を示す、斜面図である。
【図２】  この発明の、一実施形態を示す、斜面図である。
【図３】  従来技術をあらわす、斜面図である。
【図４】  この発明の、一実施形態を示す、斜面図である。
【発明を実施するための形態】
【０００６】  この発明の一実施形態を、図１に示す。
スプーンの持ち手・とっての部分に、支え板１を、左右横・後ろ三面に取付けたスプーンと一体化の形状にする。スプーンは横向きで、口にふくむ部分が浮き、口に入る部分が下に付かないので清潔に使える。
持ち手・とっての支え板は置いた時、スプーンが浮くよう、囲いを造るようにする。
図２は、持ち手の支えの部分を、一体化の台状の形状にし、置いた時、同じくスプーンの口にふくむ部分が浮くようになっている。この場合板状よりも安定性が高い。
【０００７】  「実施形態の効果」
この実施形態によれば、スプーンに口にふくむ部分が、置いた時、机等に付き、何度も計量スプーンを洗わなくて済む。スプーンの受け皿も必要なくなる。机等の雑菌も付かない。外食時、テーブルが汚い場所でも、この食事用スプーンがあると清潔感がある。
【０００８】  「他の実施形態」
持ち手・とっての部分は安定性を高くする為、図１の２の板状の部分を斜めにし、囲いを造るようにする。安定性をさらに高くする為、３の部分の全体は、スプーンの口にふくむ部分より少し丈夫な造りとし、倒れにくくする。
図２の、とっての部分支えは、台状型の形状なので、スプーンの口にふくむ部分が浮く。この場合、板状の形状よりも安定性が高いので、台状の箇所をあえて丈夫しなくても安定性は高い。
支え板、支え台もスプーンと同じ材質で作り、一体感が出るようにするといい。
図４は、食べやすさを考えてない形状で、計量スプーンの使用が最適である。課題を解決するための手段はスプーンの持ち手・とってに、支え板または台状になる部分と、一体化の形状を設け、スプーンを置いた時、口に入る部分が、浮く状態になることを特徴とするスプーンなので、支え板状の囲いの形はさらに安定性の高い形状になっている。
【符号の説明】
【０００９】１  支え板の面
２  支え板の斜面
３  スプーンの後部分
４  持ち手の台状の支え部分
５  机
【図１】
2011229886.tif 000003
【図２】
2011229886.tif 000004
【図３】
2011229886.tif 000005
【図４】
2011229886.tif 000006
(57)【要約】【課題】      収納時にはシート状として収納容量が大変小さいにも関わらず、使用時には折り巻くことで、棒状となり、且つ箸頭をスプーンやフォークとして使用することも可能な組み立て式箸を提供する。【解決手段】      折り巻き可能な２枚のシート状の部材に折り線を設け、それに沿って組み立てることで箸として使用することが出来る上、箸頭の側をスプーンやフォークとして利用することが出来、収納時には、折り巻いた本体シートを開いて半折り線に沿って畳むことで、本体が大変小さく、薄くなるので、箸１組をほぼクレジットカードサイズに収納することが出来る組み立て式の箸。【選択図】図２
2011229881.tif 000002
【特許請求の範囲】
【請求項１】
箸の長さが台形の高さ方向になるような台形より、図１のような切り欠け部を除いた形の本体シートに、谷折り線、山折り線及び半折り線を設け、折り線に沿って、本体シートを折り巻いて棒状にするが、台形上辺の幅を狭くすることで、本体シート折り巻き時に、箸先端部が細くなるようにすると共に、箸頭側は切り欠け部があり、山折り線を折ることで、棒状の箸幅より広い幅を持つ、へら状の部分が形成され、スプーン（フォーク）先端部となるが、箸幅と同じ幅に加減して折ることも出来るので、箸のみの利用としたいときなどには、箸頭同士がぶつかって邪魔になることは無い上（図３参照）、切り欠け部の形状も、へら状が形成されるのであれば自由であり、シールや輪ゴム等を用いて折り巻いた状態を保持するような補助具を用いることも出来るだけでなく、収納時には、折り巻いた本体シートを開いて半折り線に沿って畳むことで、本体が大変小さく、薄くなるので、箸１組をほぼクレジットカードサイズに収納することが出来る（図４参照）ことを特徴とする、組み立て式の箸。
【発明の詳細な説明】
【技術分野】
【０００１】  本発明は、折り巻き可能な部材によって形成される箸に関するものである。
【背景技術】
【０００２】  従来、持ち運び用の箸は、収納時の長さを軽減させるために、箸中央部に連結部等を設けて、使用時にはつなげて使うものがあった。
【先行技術文献】
【特許文献】
【０００３】
【特許文献１】  特許公開２００８−１８８３３３
【特許文献２】  特許公開２００９−２１３７２６
【発明の概要】
【発明が解決しようとする課題】
【０００４】  箸の形状は、棒状であり、その収納ケースも長いものになるので、かばん等の中で邪魔になる。その結果、分割をして持ち運ぶものがあるが、箸そのものの容積の軽減につながらない。
【課題を解決するための手段】
【０００５】  箸の長さが台形の高さ方向になるような台形より、図１のような切り欠け部を除いた形の本体シートに、谷折り線、山折り線及び半折り線を設ける。
折り線に沿って、本体シートを折り巻いて棒状にするが、台形上辺の幅を狭くすることで、本体シート折り巻き時に、箸先端部が細くなるようにする。
箸頭側は切り欠け部があり、山折り線を折ることで、棒状の箸幅より広い幅を持つへら状の部分が形成され、スプーン（フォーク）先端部となるが、箸幅と同じ幅に加減して折ることも出来るので、箸のみの利用としたいときなどには、箸頭同士がぶつかって邪魔になることはない（図３参照）。また、切り欠け部の形状はへら状が形成されるのであれば、図１の形状通りで無くても良い。更に、シールや輪ゴム等を用いて折り巻いた状態を保持するような補助具を用いることも出来る。
収納時には、折り巻いた本体シートを開いて半折り線に沿って畳むことで、本体が大変小さく、薄くなるので、箸１組をほぼクレジットカードサイズに収納することが出来る（図４参照）。
【発明の効果】
【０００６】    十分な強度を持ち、図１のような、切り欠け部を持つ台形状の折り曲げ可能なシート部材を、折り線に沿って折り巻いて組み立てることで、棒状の箸を組み立てることが出来る。箸頭部はシートを切り欠いている為、へら状の部分が形成され、スプーンやフォークの先端として用いることが出来る。一方、収納時には広げてシート状とすることが出来るので、従来の持ち運び用の箸より、はるかに軽量で、小さく、薄くなり、半分に折り畳むことで、１組の箸が、厚さ数ミリ程度のクレジットカードサイズに収納出来るので、持ち運びの環境が大幅に改善される。
【図面の簡単な説明】
【０００７】
【図１】本体組み立て前の平面図
【図２】本体組み立て後、スプーンやフォークとして使用時の斜視図
【図３】本体組み立て後、箸として使用時の斜視図
【図４】本体折り畳み収納時の斜視図
【発明を実施するための形態】
【０００８】  以下、本発明の実施の形態を説明する。
（イ）  箸の長さが台形の高さ方向になるような台形から、図１のような切り欠け部（２）を除いた形の本体シート（１）に、谷折り線（３）、山折り線（４）及び半折り線（５）を設ける。
（ロ）  折り線に沿って、本体シート（１）を折り巻いて棒状にするが、台形上辺の幅を狭くすることで、本体シート（１）折り巻き時に、箸先端部（６）が細くなるようにする。
（ハ）  箸頭側は切り欠け部（２）があり、山折り線（４）を折ることで、棒状の箸幅より広い幅を持つ、へら状の部分が形成され、スプーン（フォーク）先端部（７）となるが、箸幅と同じ幅に加減して折ることも出来るので、箸のみの利用としたいときなどには、箸頭同士がぶつかって邪魔になることはない（図３参照）。
本発明は以上のような構造で、これを実際に使用する時は、
（ニ）  十分な強度を持ち、図１のような、切り欠け部（２）を持つ台形状の折り曲げ可能な本体シート（１）を、折り線に沿って折り巻いて組み立てることで、棒状の箸を組み立てることが出来る。
（ホ）  箸頭部は本体シート（１）を切り欠いている為、へら状の部分が形成され、スプーンやフォークの先端部（７）として用いることが出来る。切り欠け部（２）の形状は、へら状が形成されるのであれば、図１の形状通りで無くても良い。
（ヘ）  収納時には、折り巻いた本体シート（１）を開いて半折り線（５）に沿って畳むことで、本体が大変小さく、薄くなり、１組の箸が、厚さ数ミリ程度のクレジットカードサイズに収納出来る。
（ト）  本体シート（１）は折り巻き線を設けることが出来て、箸として使用に耐える強度があるならば、紙、プラスティック、金属等自由な素材を選ぶことが出来る。また、折り巻きを保持するために、シールや輪ゴム等の補助部材を用いることも出来る。
【符号の説明】
【０００９】１  本体シート
２  切り欠け部
３  谷折り線
４  山折り線
５  半折り線
６  箸先端部
７  スプーン（フォーク）先端部
【図１】
2011229881.tif 000003
【図２】
2011229881.tif 000004
【図３】
2011229881.tif 000005
【図４】
2011229881.tif 000006
(57)【要約】      （修正有）【課題】乳幼児は発育途中に、顔の左右が目立つ程バランスが崩れることがあった。均整のとれた顔面にするための計測器を提供する。【解決手段】幼児の顔より大きめの少し堅めの透明の板に、中心部上下に長めの三角形の穴をあけ、上下左右に計測目盛りをつける。【選択図】図１
2011229892.tif 000002
【特許請求の範囲】
【請求項１】
幼児の顔より大きめの少し堅めの透明の板に、中心部上下に長めの三角形の穴をあけ、上下左右に計測目盛りをつける乳幼児用顔面計測器。
【発明の詳細な説明】
【技術分野】
【０００１】  本発明は、乳幼児の顔面を計測する器具である。
【背景技術】
【０００２】  従来、乳幼児の顔面を計る器具はなく顔の左右のバランスが崩れることがあった。
【先行技術文献】
【０００３】
【発明の概要】
【発明が解決しようとする課題】
【０００４】  乳幼児の顔が発育途中少しいびつにゆがんでもそれを認識するための計測器がなかった。
本発明は、以上の問題点を解決するためになされたものである。
【課題を解決するための手段】
【０００５】  幼児の顔より大きめの透明の薄い板の中心部に、上下に長い三角形の穴をあけ、上下左右に目盛りをつける。
以上の構成よりなる顔面計測器。
【発明の効果】
【０００６】  従来、乳幼児の目の左右の大きさ、左右の顔の長さ、又左右の口端の上がり下がりの不均衡を見極めることは難しかった。
本発明の計測器を生後早い時期から用いて乳幼児の顔面を測れば、顔の不均衡をすばやく察知できる。それにより乳幼児がいつも一定の方向しか向いて寝ないなどの個人の癖を発見し、いつも敷き布団側の顔半分が自身の重みで圧縮される傾向にあることを確認できる。その後部屋の布団の配置がえを行うと乳幼児就寝時の顔が向く方向（たいていは親がいる方向）が時々変わり、乳幼児の顔面や頭部の形を整えていくことができる。
【図面の簡単な説明】
【０００７】
【図１】  本発明の斜視図
【図２】  本発明の使用状態図
【発明を実施するための形態】
【０００８】  以下本発明の実施の形態を説明する。
（イ）透明計測板（１）の中心よりやや上部に鼻部の穴（２）をあけ、回り上下左右に計測目盛（３）をつける。
本発明は以上のような構造である。
本発明を使用する時は乳幼児の顔の鼻部の中心に三角鼻部の穴（２）をあてて目、口、顔の輪郭を計測目盛り（３）で計る。
【符合の説明】
【０００９】  （１）透明計測板
（２）鼻部穴
（３）計測目盛り
【図１】
2011229892.tif 000003
【図２】
2011229892.tif 000004
(57)【要約】      （修正有）【課題】乳児用おしゃぶりの吸口は、中に空気が入り、厚みのある袋状のもので、吸い込むと口唇が外へ開く状態になることが多かった。形のよい美しい口元を作るためのおしゃぶりを提供する。【解決手段】受け皿１から出る吸口２の部分を空気が入らない薄い一枚の板状のものにし、先端を少しふくらませる。おしゃぶりは薄く短いため、口をすぼめてしゃぶるので、口元がしまり、口唇が内側へ引きこまれるようになり、美しい良い形になる。【選択図】図１
2011229893.tif 000002
【特許請求の範囲】
【請求項１】
受け皿から出る吸口の部分を短く、一枚の薄めの板状にし、先端にややふくらむ部分を設けた乳児用おしゃぶり。
【発明の詳細な説明】
【技術分野】
【０００１】  本発明は、乳児の口に含ませて口元の形をよくする頑具である。
【背景技術】
【０００２】  従来、乳児の気持を落ちつかせるため、おしゃぶりは乳を飲むのと似たような感触にさせるものだった。皿の部分より出る吸口は中に空気が入り厚みのある袋状のものが使われている。
【先行技術文献】
【０００３】  特表２０００−５４４４０４
【特許文献１】
【発明の概要】
【発明が解決しようとする課題】
【０００４】  乳児の心を満足させるため、おしゃぶりの吸口は乳首を薄くしたような形で、乳を飲むような感覚にさせ、乳児によっては深く吸い込もうとすることもあった。その結果、上下の口唇が大きく外へめくれる状態になり生来の形が崩れることがあった。めくれない場合でも外へ開く傾向があった。一度口元の形がくずれると元へ戻すことは難しい。
本発明は以上の問題点を解決するためになされたものである。
【課題を解決するための手段】
【０００５】  おしゃぶりの受け皿の部分より出るしゃぶる部分を空気が入らない一枚の薄めの板状のものにし、先端に少しふくらむ部分を設ける。
【発明の効果】
【０００６】  本発明のおしゃぶりは薄く短いため、口をすぼめてしゃぶるので、口元がしまり、口唇が内側へ引きこまれるようになり、美しい良い形にする。
【図面の簡単な説明】
【０００７】
【図１】  本発明の斜視図
【図２】  本発明の断面側面図
【発明を実施するための形態】
【０００８】  以下、本発明の実施の形態を説明する。
（イ）  受け皿（１）の中央上部に吸口（２）をとりつける。
本発明は以上のような構造である。
本発明を使用するときは吸口（２）を乳児の口に当てる。
【符号の説明】
【０００９】  （１）  受け皿
（２）  吸口
【図１】
2011229893.tif 000003
【図２】
2011229893.tif 000004